Podtech/llm-jp-corpus-v4-ja_patent huggingface dataset:
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
被写体を撮影して第１の画像を取得する第１の撮像手段と、
撮影者を撮影して第２の画像を取得する第２の撮像手段と、
前記撮影者の位置に関する情報を取得する取得手段と、
前記第１の画像に前記第２の画像を合成して第３の画像を得る合成手段と、
を有し、
前記合成手段は、前記取得手段により取得した情報に応じて、前記第１の画像に対する前記第２の画像の合成位置を決定することを特徴とする撮像装置。
【請求項２】
前記取得手段は、前記第１の撮像手段の光軸に対する前記撮影者の位置に関する情報を取得することを特徴とする請求項１に記載の撮像装置。
【請求項３】
前記第１の撮像手段の光軸と前記第２の撮像手段の光軸は平行であることを特徴とする請求項１又は２に記載の撮像装置。
【請求項４】
前記取得手段により取得した情報により、前記第１の撮像手段によるローアングル撮影が行われていると推定される場合には、前記合成手段は、前記第２の画像を前記第１の画像の上部に合成し、
前記取得手段により取得した情報により、前記第１の撮像手段によるハイアングル撮影が行われていると推定される場合には、前記合成手段は、前記第２の画像を前記第１の画像の下部に合成する
ことを特徴とする請求項１乃至３のいずれか１項に記載の撮像装置。
【請求項５】
前記取得手段は、前記撮影者の位置に関する情報として、前記第２の撮像手段の撮影方向を取得し、
前記合成手段は、前記第２の撮像手段の撮影方向に応じて、前記第１の画像に対する前記第２の画像の合成位置を決定する
ことを特徴とする請求項１に記載の撮像装置。
【請求項６】
前記合成手段は、前記第２の撮像手段の光軸が前記第１の撮像手段の光軸よりも上向きに傾いている場合は、前記第１の画像の上部に前記第２の画像を合成することを特徴とする請求項５に記載の撮像装置。
【請求項７】
前記合成手段は、前記第２の撮像手段の光軸が前記第１の撮像手段の光軸よりも下向きに傾いている場合は、前記第１の画像の下部に前記第２の画像を合成することを特徴とする請求項５または６に記載の撮像装置。
【請求項８】
前記第２の画像に所定の画像処理を行う画像処理手段を更に有し、
前記取得手段は、前記撮影者の位置に関する情報として、前記第２の撮像手段の撮影方向を取得し、
前記画像処理手段は、前記第２の撮像手段の撮影方向に応じて画像処理パラメータを変更することを特徴とする請求項１乃至７のいずれか１項に記載の撮像装置。
【請求項９】
前記所定の画像処理はホワイトバランス調整であり、
前記画像処理手段は、前記第２の撮像手段の撮影方向に応じてホワイトバランス調整に関する画像処理パラメータを変更することを特徴とする請求項８に記載の撮像装置。
【請求項１０】
前記第２の撮像手段は、撮影方向を独立に調整可能に構成されることを特徴とする請求項１乃至９のいずれか１項に記載の撮像装置。
【請求項１１】
被写体を撮影して第１の画像を取得する第１の撮像手段と、撮影者を撮影して第２の画像を取得する第２の撮像手段とを有する撮像装置の制御方法であって、
取得手段が、前記撮影者の位置に関する情報を取得する取得ステップと、
合成手段が、前記第１の画像に前記第２の画像を合成して第３の画像を得る合成ステップと、
を有し、
前記合成ステップは、前記取得ステップで取得した情報に応じて、前記第１の画像に対する前記第２の画像の合成位置を決定することを特徴とする撮像装置の制御方法。
【請求項１２】
コンピュータに請求項１１に記載の撮像装置の制御方法の各ステップを実行させるためのプログラム。
【手続補正２】
【補正対象書類名】明細書
【補正対象項目名】０００６
【補正方法】変更
【補正の内容】
【０００６】
本発明の一側面によれば、被写体を撮影して第１の画像を取得する第１の撮像手段と、撮影者を撮影して第２の画像を取得する第２の撮像手段と、前記撮影者の位置に関する情報を取得する取得手段と、前記第１の画像に前記第２の画像を合成して第３の画像を得る合成手段とを有し、前記合成手段は、前記取得手段により取得した情報に応じて、前記第１の画像に対する前記第２の画像の合成位置を決定することを特徴とする撮像装置が提供される。
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
通信装置であって、
データ処理装置が形成する第１のネットワークを介して、前記データ処理装置と通信を確立する手段と、
前記データ処理装置と通信を確立した後、前記データ処理装置とは異なる外部装置にデータを送信する指示を受け付ける受付手段と、
前記受付手段により指示を受け付けた場合、前記データ処理装置との通信を切断するための通知と、前記データ処理装置に前記第１のネットワークを維持させるための通知とを前記データ処理装置に送信する送信手段と、
前記データ処理装置との通信を切断した後に、第２のネットワークを介して前記外部装置と通信を確立する手段とを有する通信装置。
【請求項２】
前記第１のネットワークを維持させるための通知を送信してから一定時間が経過し、かつ前記データ処理装置と前記通信装置との間の所定の通信がない場合、前記第１のネットワークは削除されることを特徴とする請求項１に記載の通信装置。
【請求項３】
前記データ処理装置に前記第１のネットワークを維持させるための通知は、前記第１のネットワークを介することなく送信されることを特徴とする請求項１または２に記載の通信装置。
【請求項４】
前記第１のネットワークは無線ＬＡＮに基づくネットワークであり、前記第１のネットワークを維持させるための通知は、Ｂｕｌｅｔｏｏｔｈを用いて送信されることを特徴とする請求項３に記載の通信装置。
【請求項５】
前記データ処理装置とは異なる外部装置にデータを送信する指示は、インターネットを介して前記外部装置にデータを送信する指示であることを特徴とする請求項１乃至４のいずれか１項に記載の通信装置。
【請求項６】
前記第１のネットワークは、前記データ処理装置が無線ＬＡＮのアクセスポイントとして動作することで形成されることを特徴とする請求項１乃至５のいずれか１項に記載の通信装置。
【請求項７】
前記データ処理装置は撮像装置であることを特徴とする請求項１乃至６のいずれか１項に記載の通信装置。
【請求項８】
前記通信装置は携帯電話であることを特徴とする請求項１乃至７のいずれか１項に記載の通信装置。
【請求項９】
通信装置の制御方法であって、
データ処理装置が形成する第１のネットワークを介して、前記データ処理装置と通信を確立し、
前記データ処理装置と通信を確立した後、前記データ処理装置とは異なる外部装置にデータを送信する指示を受け付け、
前記指示を受け付けた場合、前記データ処理装置との通信を切断するための通知と、前記データ処理装置に前記第１のネットワークを維持させるための通知とを前記データ処理装置に送信し、
前記データ処理装置との通信を切断した後に、第２のネットワークを介して前記外部装置と通信を確立することを特徴とする通信装置の制御方法。
【請求項１０】
コンピュータを、請求項１乃至８のいずれか１項に記載の通信装置の各手段として機能させる、コンピュータが実行可能なプログラム。
【手続補正２】
【補正対象書類名】明細書
【補正対象項目名】０００７
【補正方法】変更
【補正の内容】
【０００７】
本発明に係る通信装置は、データ処理装置が形成する第１のネットワークを介して、前記データ処理装置と通信を確立する手段と、前記データ処理装置と通信を確立した後、前記データ処理装置とは異なる外部装置にデータを送信する指示を受け付ける受付手段と、前記受付手段により指示を受け付けた場合、前記データ処理装置との通信を切断するための通知と、前記データ処理装置に前記第１のネットワークを維持させるための通知とを前記データ処理装置に送信する送信手段と、前記データ処理装置との通信を切断した後に、第２のネットワークを介して前記外部装置と通信を確立する手段とを有することを特徴とする。
【手続補正書】
【提出日】平成28年7月22日(2016.7.22)
【手続補正１】
【補正対象書類名】特許請求の範囲
【補正対象項目名】請求項９
【補正方法】変更
【補正の内容】
【請求項９】
請求項５に記載の通信システムであって、
前記各通信装置は、それぞれが他の通信装置に接続された複数のインタフェース部と、前記複数のインタフェース部に接続されたスイッチ部と、を有し、
前記管理パケットは、いずれかの前記インタフェース部の識別子を含み、
前記セグメント境界以外の中継装置が有する前記複数のインタフェース部のうち、他の通信装置から前記管理パケットを受信した第１のインタフェース部は、
前記受信した管理パケットに含まれる前記計数値を前記第１の所定の値だけ変更し、
前記計数値が第２の所定の値である場合、前記受信した管理パケットに含まれる前記インタフェース部の識別子が前記第１のインタフェース部の識別子であるか否かを判定し、
前記受信した管理パケットに含まれる前記インタフェース部の識別子が前記第１のインタフェース部の識別子である場合、前記受信した管理パケットの送信元を送信先とする管理パケットを生成して出力し、
前記計数値が前記第２の所定の値であるか否かにかかわらず、前記受信した管理パケットに含まれる、前記受信した管理パケットが通過した通信経路の識別子を、前記中継装置内部の通信経路の識別子に変換し、
前記スイッチ部は、前記変換された中継装置内部の通信経路の識別子に基づいて、前記受信した管理パケットを、いずれかの前記インタフェース部に転送し、
前記転送された管理パケットを受信した第２のインタフェース部は、
前記計数値が前記第２の所定の値である場合、前記受信した管理パケットに含まれる前記インタフェース部の識別子が前記第２のインタフェース部の識別子であるか否かを判定し、
前記受信した管理パケットに含まれる前記インタフェース部の識別子が前記第２のインタフェース部の識別子である場合、前記受信した管理パケットの送信元を送信先とする管理パケットを生成して出力し、
前記計数値が前記第２の所定の値でない場合、前記転送された管理パケットに含まれる、前記中継装置内部の通信経路の識別子を、送信先の通信経路の識別子に変換し、
前記変換された通信経路の識別子を含む前記管理パケットを送信することを特徴とする通信システム。
【手続補正２】
【補正対象書類名】特許請求の範囲
【補正対象項目名】請求項１０
【補正方法】変更
【補正の内容】
【請求項１０】
請求項５に記載の通信システムであって、
前記各通信装置は、それぞれが他の通信装置に接続された複数のインタフェース部と、前記複数のインタフェース部に接続されたスイッチ部と、を有し、
前記管理パケットは、いずれかの前記インタフェース部の識別子を含み、
前記セグメント境界の中継装置が有する前記複数のインタフェース部のうち、前記第１のセグメントに含まれる通信装置から前記管理パケットを受信した第１のインタフェース部は、
前記受信した管理パケットに含まれる前記計数値を前記第１の所定の値だけ変更し、
前記受信した管理パケットが前記第２のレベルを示す値を含む場合、前記計数値が第２の所定の値であるか否かを判定し、
前記受信した管理パケットが前記第１のレベルを示す値を含む場合、及び、前記受信した管理パケットが前記第２のレベルを示す値を含み、かつ、前記計数値が前記第２の所定の値である場合、前記受信した管理パケットに含まれる前記インタフェース部の識別子が前記第１のインタフェース部の識別子であるか否かを判定し、
前記受信した管理パケットに含まれる前記インタフェース部の識別子が前記第１のインタフェース部の識別子である場合、前記受信した管理パケットの送信元を送信先とする管理パケットを生成して出力し、
前記受信した管理パケットが、前記第２のレベルを示す値を含む場合、前記計数値が前記第２の所定の値であるか否かにかかわらず、前記受信した管理パケットに含まれる、前記受信した管理パケットが通過した前記第１のセグメントの通信経路の識別子を、前記セグメント境界の中継装置内部の通信経路の識別子に変換し、
前記スイッチ部は、前記変換されたセグメント境界の中継装置内部の通信経路の識別子に基づいて、前記受信した管理パケットを、いずれかの前記インタフェース部に転送し、
前記転送された管理パケットを受信した第２のインタフェース部は、
前記計数値が前記第２の所定の値である場合、前記受信した管理パケットに含まれる前記インタフェース部の識別子が前記第２のインタフェース部の識別子であるか否かを判定し、
前記受信した管理パケットに含まれる前記インタフェース部の識別子が前記第２のインタフェース部の識別子である場合、前記受信した管理パケットの送信元を送信先とする管理パケットを生成して出力し、
前記計数値が前記第２の所定の値でない場合、前記転送された管理パケットに含まれる、前記セグメント境界の中継装置内部の通信経路の識別子を、前記第２のセグメントの通信経路の識別子に変換し、
前記変換された第２のセグメントの通信経路の識別子を含む前記管理パケットを、前記第２のセグメントに含まれる通信装置に送信することを特徴とする通信システム。
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
機器本体を装着するバンドであって、
前記機器本体に接続されている第１バンド部、および第２バンド部と、を備え、
前記機器本体から前記第１バンド部および前記第２バンド部が延出する第１の方向と交差する第２の方向における前記第１バンド部および前記第２バンド部の幅と、前記第２の方向における前記機器本体の幅との比が、０．５以上１．４以下であることを特徴とするバンド。
【請求項２】
前記第１バンド部は、前記第１バンド部および前記第２バンド部を連結する連結部を有し、
前記第２バンド部は、前記第２バンド部を前記第１バンド部に係止するフック部を有することを特徴とする請求項１に記載のバンド。
【請求項３】
前記第１バンド部の機器本体と接続される端部と前記連結部との間、および前記第２バンド部の機器本体と接続される端部と前記フック部との間に伸縮性を有するベルト部が設けられていることを特徴する請求項２に記載のバンド。
【請求項４】
前記ベルト部には、前記第２の方向に並列、かつ前記第１の方向に行を成して前記連結部または前記フック部が挿通される穴部が設けられていることを特徴とする請求項３に記載のバンド。
【請求項５】
前記穴部は、同軸に設けられた第１穴および第２穴を備え、
前記第１穴および前記第２穴は、前記第１の方向を短軸とし、前記第２の方向を長軸とする楕円形状を有し、
前記第２穴の前記短軸および前記長軸の長さは、前記第１穴の前記短軸および前記長軸の長さと比して大きいことを特徴とする請求項４に記載のバンド。
【請求項６】
前記第１バンド部の前記穴部の行は、前記機器本体側に最も近い行とその隣接行との間隔が、前記連結部に最も近い行とその隣接行との間隔よりも狭いことを特徴とする請求項３または請求項４に記載のバンド。
【請求項７】
前記第２バンド部の前記穴部の行は、前記機器本体側に最も近い行とその隣接行との間隔が、前記フック部に最も近い行とその隣接行との間隔よりも狭いことを特徴とする請求項３または請求項４に記載のバンド。
【請求項８】
前記第１バンド部は、肉厚部を有し、
前記連結部は、前記肉厚部に設けられ、
前記第２バンド部材が挿通されるバンド挿通穴と、
前記第２の方向に延伸する前記バンド挿通穴の一辺に軸支され前記第２バンド部に設けられた前記穴部に挿通される突棒と、を備え、
前記バンド挿通穴は、前記突棒が軸支されている前記一辺と対面する前記第２の方向に延伸する辺が長く設けられていることを特徴とする請求項２ないし請求項５のいずれか一項に記載のバンド。
【請求項９】
前記フック部には、基部と、当該基部から延出するピン部と、を備え、
前記ピン部には、前記基部から延出する第１軸部と、当該第１軸部から延出する第２軸部と、を有することを特徴とする請求項２ないし請求項６のいずれか一項に記載のバンド。
【請求項１０】
前記ピン部には、
前記第１軸部に、当該第１軸部と比して径の大きい第１頭部と、
前記第２軸部に、当該第２軸部と比して径の大きい第２頭部と、を備えていることを特徴とする請求項７に記載のバンド。
【請求項１１】
前記基部から前記ピン部が延出する第３の方向における前記第２軸部の長さは、前記第１穴の深さと略等しく、前記第３の方向における前記第２頭部の長さは、前記第２穴の深さと略等しいことを特徴とする請求項７または請求項８に記載のバンド。
【請求項１２】
前記第２軸部および前記第２頭部は、前記第１の方向を短軸とし、前記第２の方向を長軸とする楕円形状を有し、前記第３の方向から前記第２頭部と前記第１穴とを平面視した場合に、前記第２頭部の面積が前記第１穴の面積よりも大きいことを特徴とする請求項８または請求項９に記載のバンド。
【請求項１３】
前記第２軸部および前記第２頭部は、前記第１の方向を短軸とし、前記第２の方向を長軸とする楕円形状を有し、前記第２頭部の前記長軸および前記短軸は、前記第１穴の前記長軸および前記短軸と比して大きいことを特徴とする請求項８ないし請求項１０のいずれか一項に記載のバンド。
【請求項１４】
前記第１頭部および前記第２頭部は、前記基部が設けられている方向とは反対の方向に曲面を有することを特徴とする請求項８ないし請求項１１のいずれか一項に記載のバンド。
【請求項１５】
前記ベルト部は、前記第３の方向における厚みが前記第２軸部の長さと、前記第２頭部の長さと、を加えた値と略等しいことを特徴とする請求項８ないし請求項１２のいずれか一項に記載のバンド。
【請求項１６】
前記第１バンドおよび前記第２バンド部は、伸縮性を有するポリウレタン樹脂またはシリコーン樹脂を含む材料で前記ベルト部が構成されていることを特徴とする請求項３ないし請求項１３のいずれか一項に記載のバンド。
【請求項１７】
請求項１ないし請求項１６のいずれか一項に記載のバンドと、
前記バンドが取り付けられた機器本体と、を備えたことを特徴とする生体情報測定機器。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
慣性センサーの出力を用いて、運動における第１の動作および第２の動作の動作時間を算出し、
前記第１の動作および前記第２の動作の少なくとも一方の時間軸を調整し、前記第１の動作および前記第２の動作の動作情報を出力する、
ことを特徴とする運動解析方法。
【請求項２】
前記運動はスイングであり、
前記第１の動作はバックスイングであり、前記第２の動作はダウンスイングであることを特徴とする運動解析方法。
【請求項３】
前記慣性センサーの出力を用いて、前記スイングにおけるスイング開始、トップ、インパクトのタイミングを検出し、それらのタイミングに基づき前記第１の動作および前記第２の動作の動作時間を算出することを特徴とする請求項２に記載の運動解析方法。
【請求項４】
前記慣性センサーの出力は、複数軸の回りに発生する角速度の情報を含み、
前記角速度の合成値を用いて、前記インパクトのタイミングを特定し、
特定された前記インパクトのタイミングに基づき、前記トップおよび前記スイング開始のタイミングを特定することを特徴とする請求項３に記載の運動解析方法。
【請求項５】
前記角速度の合成値が最大となるタイミングを前記インパクトのタイミングとして検出することを特徴とする請求項４に記載の運動解析方法。
【請求項６】
前記第１の動作と前記第２の動作の時間軸の長さが同じになるように調整することを特徴とする請求項１に記載の運動解析方法。
【請求項７】
前記第１の動作および前記第２の動作の一方の動作の時間軸を他方の動作の時間軸よりも長く調整することを特徴とする請求項１に記載の運動解析方法。
【請求項８】
前記調整された前記時間軸に基づいて、前記第１の動作および前記第２の動作の動作情報を表示することを特徴とする請求項１に記載の運動解析方法。
【請求項９】
慣性センサーと、
前記慣性センサーから出力される慣性データを取得するデータ取得部と、
前記慣性データに基づき、運動の複数の動作を特定する動作特定部と、を備えており、
前記動作特定部は、
前記複数の動作の動作時間を算出する時間算出部と、
前記動作時間の時間軸を調整する時間軸調整部と、
調整された前記時間軸に基づいて、前記複数の動作の動作情報を出力する動作情報出力部と、を備えている、
ことを特徴とする運動解析装置。
【請求項１０】
第１の動作および第２の動作における慣性センサーの出力を表示する方法において、
前記第１の動作と前記第２との動作の時間当たりの時間軸の長さを異ならせて表示する表示方法。
【請求項１１】
前記時間軸は同一時間軸である請求項１０に記載の表示方法。
【請求項１２】
前記第１の動作はスイングにおけるバックスイングであり、前記第２の動作はスイングにおけるダウンスイングである請求項１０または１１に記載の表示方法。
【手続補正２】
【補正対象書類名】明細書
【補正対象項目名】発明の名称
【補正方法】変更
【補正の内容】
【発明の名称】運動解析方法、運動解析装置および表示方法
【手続補正３】
【補正対象書類名】明細書
【補正対象項目名】０００１
【補正方法】変更
【補正の内容】
【０００１】
本発明は、運動解析方法、運動解析装置および表示方法に関する。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
慣性センサーの出力を用いて、スイング動作中の運動具の部位の移動速度を検出するステップと、
前記スイング動作中の少なくとも２つの異なる時点で検出された前記移動速度を用いて、前記移動速度の変化量を算出するステップと、
予め設定された閾値に対し、前記移動速度の変化量を比較するステップと、
を備えていることを特徴とする運動解析方法。
【請求項２】
請求項１に記載の運動解析方法において、
前記移動速度の変化量は、インパクト時の移動速度の大きさと前記スイング動作中の移動速度の最大値との変化率で示されることを特徴とする運動解析方法。
【請求項３】
請求項１または請求項２に記載の運動解析方法において、
前記移動速度の変化量を比較した結果を出力することを特徴とする運動解析方法。
【請求項４】
請求項１ないし請求項３のいずれか一項に記載の運動解析方法において、
前記慣性センサーが取り付けられる部位は、運動具のシャフト部および被験者の上半身の少なくとも一方であることを特徴とする運動解析方法。
【請求項５】
請求項１ないし請求項４のいずれか一項に記載の運動解析方法において、
前記移動速度の変化量の比較結果を表示することを特徴とする運動解析方法。
【請求項６】
請求項５に記載の運動解析方法において、
前記慣性センサーの出力を用いて生成された前記運動具の先端部分の移動速度と併せて、前記慣性センサーが取り付けられた部位付近の前記移動速度を表示させることを特徴とする運動解析方法。
【請求項７】
請求項５または請求項６に記載の運動解析方法において、
前記慣性センサーの出力を用いて生成された前記スイング動作の運動軌跡と併せて、前記慣性センサーが取り付けられた部位付近の前記移動速度を表示させることを特徴とする運動解析方法。
【請求項８】
慣性センサーの出力からスイング動作中の前記運動具の部位の移動速度を検出する手順と、
前記スイング動作中の２つの異なる時点で検出された前記移動速度を用いて、前記移動速度の変化量を算出する手順と、
予め設定された閾値に対し前記移動速度の変化量を比較する手順と、
をコンピューターに実行させることを特徴とする運動解析プログラム。
【請求項９】
慣性センサーの出力を用いて、スイング動作中の運動具の部位の移動速度を検出する検出部と、
前記スイング動作中の少なくとも２つの異なる時点で検出された前記移動速度を用いて、前記移動速度の変化量を算出する算出部と、
予め設定された閾値に対し、前記移動速度の変化量を比較する判定部と、を備えることを特徴とする運動解析装置。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
複数の図柄列に配置された複数種類の図柄を移動させて表示する図柄表示ゲームで役抽選を行って、各々の図柄列に対応して設けられた停止スイッチが、役抽選で内部当選した押し順役に応じた入賞操作順序で操作されると、対応する図柄列を個々に停止させて、押し順役の入賞図柄を表示して遊技価値を付与すると共に、押し順役が内部当選してアシスト機能が発動すると、押し順役に応じた入賞操作順序を報知することが可能な遊技機において、
図柄表示ゲームで演出を実行する演出実行手段と、
複数のマスで構成されたマップを表示する表示手段と、
前記マップのマス上に表示された移動体を次のマスに進める移動手段と、
を具備し、
複数のマスの中には演出マスがあり、
前記移動手段がマス上に表示された移動体を進めたときのマスが演出マスであれば、前記演出実行手段は該演出マスが示す演出を実行すること、
を特徴とする遊技機。
【手続補正２】
【補正対象書類名】明細書
【補正対象項目名】００２５
【補正方法】変更
【補正の内容】
【００２５】
請求項１に係る本発明の遊技機は、上記の目的を達成する為に、複数の図柄列に配置された複数種類の図柄を移動させて表示する図柄表示ゲームで役抽選を行って、各々の図柄列に対応して設けられた停止スイッチが、役抽選で内部当選した押し順役に応じた入賞操作順序で操作されると、対応する図柄列を個々に停止させて、押し順役の入賞図柄を表示して遊技価値を付与すると共に、押し順役が内部当選してアシスト機能が発動すると、押し順役に応じた入賞操作順序を報知することが可能な遊技機において、図柄表示ゲームで演出を実行する演出実行手段と、複数のマスで構成されたマップを表示する表示手段と、前記マップのマス上に表示された移動体を次のマスに進める移動手段と、を具備し、複数のマスの中には演出マスがあり、前記移動手段がマス上に表示された移動体を進めたときのマスが演出マスであれば、前記演出実行手段は該演出マスが示す演出を実行することを特徴とする。
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
複数のマスで構成されたマップを表示する表示手段と、
前記マップのマス上に表示された移動体を１マス進める移動手段と、
を具備し、
前記複数のマスのうち、少なくとも一部には、第一ルートと第二ルートに分岐する分岐マスがあること、
を特徴とする遊技機。
【請求項２】
請求項１に記載の遊技機において、
複数の図柄列に描かれた複数種類の図柄を移動させて表示する図柄表示ゲームで役抽選を行って、複数の役の中から１つの内部当選役を決定する内部当選役決定手段と、
ポイントを獲得するポイント獲得手段と、
前記移動体が、前記分岐マス上に表示された前記図柄表示ゲームで、前記内部当選役決定手段が決定した内部当選役に応じて、前記第二ルートへ移行する為の消費ポイントを決定する消費ポイント決定手段と、
前記ポイントが、前記消費ポイント以上であるか否かを判断するポイント判断手段と、
前記移動体の進路を、前記第一ルート又は、前記第二ルートかを決定するルート決定手段と、
を具備し、
前記ルート決定手段は、前記ポイントが、前記消費ポイント以上と判断した場合に、前記移動体の進路を前記第二ルートに決定し、前記ポイントが、前記消費ポイント未満と判断した場合に、前記移動体の進路を前記第一ルートに決定すること、
を特徴とする遊技機。
【請求項３】
請求項１または請求項２に記載の遊技機において、
前記ルート決定手段が、移動体の進路を第二ルートに決定した場合に、前記ポイントから前記消費ポイントを減算処理すること、
を特徴とする遊技機。
【手続補正２】
【補正対象書類名】明細書
【補正対象項目名】００２５
【補正方法】変更
【補正の内容】
【００２５】
請求項１に係る本発明の遊技機は、複数のマスで構成されたマップを表示する表示手段と、前記マップのマス上に表示された移動体を１マス進める移動手段と、を具備し、前記複数のマスのうち、少なくとも一部には、第一ルートと第二ルートに分岐する分岐マスがあることを特徴とする。
請求項２に係る本発明の遊技機は、請求項１に記載の遊技機において、複数の図柄列に描かれた複数種類の図柄を移動させて表示する図柄表示ゲームで役抽選を行って、複数の役の中から１つの内部当選役を決定する内部当選役決定手段と、ポイントを獲得するポイント獲得手段と、前記移動体が、前記分岐マス上に表示された前記図柄表示ゲームで、前記内部当選役決定手段が決定した内部当選役に応じて、前記第二ルートへ移行する為の消費ポイントを決定する消費ポイント決定手段と、前記ポイントが、前記消費ポイント以上であるか否かを判断するポイント判断手段と、前記移動体の進路を、前記第一ルート又は、前記第二ルートかを決定するルート決定手段と、を具備し、前記ルート決定手段は、前記ポイントが、前記消費ポイント以上と判断した場合に、前記移動体の進路を前記第二ルートに決定し、前記ポイントが、前記消費ポイント未満と判断した場合に、前記移動体の進路を前記第一ルートに決定することを特徴とする。
請求項３に係る本発明の遊技機は、請求項１または請求項２に記載の遊技機において、前記ルート決定手段が、移動体の進路を第二ルートに決定した場合に、前記ポイントから前記消費ポイントを減算処理することを特徴とする。
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
複数のマスで構成されたマップを表示する表示手段と、
前記マップのマス上に表示された移動体を１マス進める移動手段と、
を具備し、
前記複数のマスのうち、少なくとも一部には、遊技者に特典を付与する特典マスがあること、
を特徴とする遊技機。
【請求項２】
請求項１に記載の遊技機において、
押下スイッチの連打ゲームの開始条件を満足すると、押下スイッチの操作を有効にする有効化手段と、
押下スイッチが操作されたタイミングに基づいて、連打ゲームを継続するか否かの継続抽選を実行する抽選手段と、
を具備し、
前記継続抽選で継続となった場合に、マスの内容を変更すること、
を特徴とする遊技機。
【請求項３】
請求項１または請求項２に記載の遊技機において、複数の図柄列に描かれた複数種類の図柄を移動させて表示する図柄表示ゲームで役抽選を行って、複数の役の中から１つの内部当選役を決定する内部当選役決定手段と、
前記移動体が、前記特典マス上に表示された前記図柄表示ゲームで、遊技者に特典を付与する特典付与手段と、
を具備し、
前記特典には、複数種類の特典があり、前記移動体が、前記特典マス上に表示された前記図柄表示ゲームで、前記内部当選役決定手段が決定した内部当選役に応じて、前記特典を付与すること、
を特徴とする遊技機。
【手続補正２】
【補正対象書類名】明細書
【補正対象項目名】００２５
【補正方法】変更
【補正の内容】
【００２５】
請求項１に係る本発明の遊技機は、複数のマスで構成されたマップを表示する表示手段と、前記マップのマス上に表示された移動体を１マス進める移動手段と、を具備し、前記複数のマスのうち、少なくとも一部には、遊技者に特典を付与する特典マスがあることを特徴とする。
請求項２に係る本発明の遊技機は、請求項１に記載の遊技機において、押下スイッチの連打ゲームの開始条件を満足すると、押下スイッチの操作を有効にする有効化手段と、押下スイッチが操作されたタイミングに基づいて、連打ゲームを継続するか否かの継続抽選を実行する抽選手段と、を具備し、前記継続抽選で継続となった場合に、マスの内容を変更することを特徴とする。
請求項３に係る本発明の遊技機は、請求項１または請求項２に記載の遊技機において、複数の図柄列に描かれた複数種類の図柄を移動させて表示する図柄表示ゲームで役抽選を行って、複数の役の中から１つの内部当選役を決定する内部当選役決定手段と、前記移動体が、前記特典マス上に表示された前記図柄表示ゲームで、遊技者に特典を付与する特典付与手段と、を具備し、前記特典には、複数種類の特典があり、前記移動体が、前記特典マス上に表示された前記図柄表示ゲームで、前記内部当選役決定手段が決定した内部当選役に応じて、前記特典を付与することを特徴とする。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
複数の図柄列に配置された複数種類の図柄を移動させて表示する図柄表示ゲームで役抽選を行って、各々の図柄列に対応して設けられた停止スイッチが、役抽選で内部当選した押し順役に応じた入賞操作順序で操作されると、対応する図柄列を個々に停止させて、押し順役の入賞図柄を表示して遊技価値を付与すると共に、アシスト遊技中に押し順役が内部当選してアシスト機能が発動すると、押し順役に応じた入賞操作順序を報知することが可能な遊技機において、
図柄表示ゲームで演出を行う演出手段と、
複数のマスで構成されたマップを表示する表示手段と、
前記マップのマス上に表示された移動体を次のマスに進める移動手段と、
を具備し、
前記アシスト遊技の終了条件が成立したら、再びアシスト遊技に移行させるか否かを決定する逆転遊技があり、
前記逆転遊技において、前記演出手段は前記アシスト遊技中に獲得した特典数の押し順報知を発生させることができ、前記アシスト遊技の終了を免れることが可能であると共に、前記表示手段はマップを表示し、該マップのマスには数字が表示された数字マスがあり、前記移動体が該数字マスに到達すると、その数字分のアシスト数を獲得して、前記特別遊技へ移行する一方、前記アシスト遊技の終了が選択されると通常遊技に戻ること、
を特徴とする遊技機。
【手続補正２】
【補正対象書類名】明細書
【補正対象項目名】００２５
【補正方法】変更
【補正の内容】
【００２５】
請求項１に係る本発明の遊技機は、上記の目的を達成する為に、複数の図柄列に配置された複数種類の図柄を移動させて表示する図柄表示ゲームで役抽選を行って、各々の図柄列に対応して設けられた停止スイッチが、役抽選で内部当選した押し順役に応じた入賞操作順序で操作されると、対応する図柄列を個々に停止させて、押し順役の入賞図柄を表示して遊技価値を付与すると共に、アシスト遊技中に押し順役が内部当選してアシスト機能が発動すると、押し順役に応じた入賞操作順序を報知することが可能な遊技機において、図柄表示ゲームで演出を行う演出手段と、複数のマスで構成されたマップを表示する表示手段と、前記マップのマス上に表示された移動体を次のマスに進める移動手段と、を具備し、前記アシスト遊技の終了条件が成立したら、再びアシスト遊技に移行させるか否かを決定する逆転遊技があり、前記逆転遊技において、前記演出手段は前記アシスト遊技中に獲得した特典数の押し順報知を発生させることができ、前記アシスト遊技の終了を免れることが可能であると共に、前記表示手段はマップを表示し、該マップのマスには数字が表示された数字マスがあり、前記移動体が該数字マスに到達すると、その数字分のアシスト数を獲得して、前記特別遊技へ移行する一方、前記アシスト遊技の終了が選択されると通常遊技に戻ることを特徴とする。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
複数の図柄列に配置された複数種類の図柄を移動させて表示する図柄表示ゲームで役抽選を行って、各々の図柄列に対応して設けられた停止スイッチが、役抽選で内部当選した押し順役に応じた入賞操作順序で操作されると、対応する図柄列を個々に停止させて、押し順役の入賞図柄を表示して遊技価値を付与すると共に、特別遊技中に押し順役が内部当選してアシスト機能が発動すると、押し順役に応じた入賞操作順序を報知することが可能な遊技機において、
図柄表示ゲームで演出を行う演出手段と、
複数のマスで構成されたマップを表示する表示手段と、
前記マップのマス上に表示された移動体を次のマスに進める移動手段と、
を具備し、
前記特別遊技のアシスト初期値を決定する初期値決定遊技があり、
前記初期値決定遊技において、前記表示手段はマップを表示し、該マップのマスには上乗せ値が表示された上乗せマスがあり、
前記移動体が上乗せマスに進むと、役抽選結果と上乗せ値に基づいて前記アシスト初期値を更新し、前記初期値決定遊技を終了した後に、前記特別遊技が前記アシスト初期値で開始され、前記演出手段はアシスト演出を行うこと、
を特徴とする遊技機。
【手続補正２】
【補正対象書類名】明細書
【補正対象項目名】００２５
【補正方法】変更
【補正の内容】
【００２５】
請求項１に係る本発明の遊技機は、上記の目的を達成する為に、複数の図柄列に配置された複数種類の図柄を移動させて表示する図柄表示ゲームで役抽選を行って、各々の図柄列に対応して設けられた停止スイッチが、役抽選で内部当選した押し順役に応じた入賞操作順序で操作されると、対応する図柄列を個々に停止させて、押し順役の入賞図柄を表示して遊技価値を付与すると共に、特別遊技中に押し順役が内部当選してアシスト機能が発動すると、押し順役に応じた入賞操作順序を報知することが可能な遊技機において、図柄表示ゲームで演出を行う演出手段と、複数のマスで構成されたマップを表示する表示手段と、前記マップのマス上に表示された移動体を次のマスに進める移動手段と、を具備し、前記特別遊技のアシスト初期値を決定する初期値決定遊技があり、前記初期値決定遊技において、前記表示手段はマップを表示し、該マップのマスには上乗せ値が表示された上乗せマスがあり、前記移動体が上乗せマスに進むと、役抽選結果と上乗せ値に基づいて前記アシスト初期値を更新し、前記初期値決定遊技を終了した後に、開始された特別遊技において、前記演出手段はアシスト演出を行うことを特徴とする。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
複数の図柄列に配置された複数種類の図柄を移動させて表示する図柄表示ゲームで役抽選を行って、各々の図柄列に対応して設けられた停止スイッチが、役抽選で内部当選した押し順役に応じた入賞操作順序で操作されると、対応する図柄列を個々に停止させて、押し順役の入賞図柄を表示して遊技価値を付与すると共に、アシスト遊技中に押し順役が内部当選してアシスト機能が発動すると、押し順役に応じた入賞操作順序を報知することが可能な遊技機において、
図柄表示ゲームで演出を行う演出手段と、
複数のマスで構成されたマップを表示する表示手段と、
前記マップのマス上に表示された移動体を次のマスに進める移動手段と、
を具備し、
前記アシスト遊技で上乗せ条件が成立したら、現在のアシスト数に上乗せするアシスト数を決定する上乗せ遊技があり、
前記上乗せ遊技において、前記表示手段はマップを表示し、該マップのマスには数字が表示された数字マスがあり、
前記移動体により前記数字マスが選択されている状態で、役抽選結果と該数字マスの数値に基づいて前記アシスト数を決定し、前記上乗せ遊技を終了すると、前記アシスト遊技によって更新された更新アシスト数で前記アシスト遊技を実行し、前記演出手段はアシスト演出を行うこと、
を特徴とする遊技機。

【手続補正２】
【補正対象書類名】明細書
【補正対象項目名】００２５
【補正方法】変更
【補正の内容】
【００２５】
請求項１に係る本発明の遊技機は、上記の目的を達成する為に、複数の図柄列に配置された複数種類の図柄を移動させて表示する図柄表示ゲームで役抽選を行って、各々の図柄列に対応して設けられた停止スイッチが、役抽選で内部当選した押し順役に応じた入賞操作順序で操作されると、対応する図柄列を個々に停止させて、押し順役の入賞図柄を表示して遊技価値を付与すると共に、アシスト遊技中に押し順役が内部当選してアシスト機能が発動すると、押し順役に応じた入賞操作順序を報知することが可能な遊技機において、図柄表示ゲームで演出を行う演出手段と、複数のマスで構成されたマップを表示する表示手段と、前記マップのマス上に表示された移動体を次のマスに進める移動手段と、を具備し、前記アシスト遊技で上乗せ条件が成立したら、現在のアシスト数に上乗せするアシスト数を決定する上乗せ遊技があり、前記上乗せ遊技において、前記表示手段はマップを表示し、該マップのマスには数字が表示された数字マスがあり、前記移動体により前記数字マスが選択されている状態で、役抽選結果と該数字マスの数値に基づいて前記アシスト数を決定し、前記上乗せ遊技を終了すると、前記アシスト遊技によって更新された更新アシスト数で前記アシスト遊技を実行し、前記演出手段はアシスト演出を行うことを特徴とする。
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
カードを排出するカード販売装置であって、
プレイヤからの操作入力を受け付ける操作受付部と、
前記操作入力に従ってゲーム機能を実行する処理部と、
前記ゲーム機能の実行結果に応じた情報を印刷しカードとして排出する印刷装置と、
印刷済みのカードを積層状態で収容し１枚ずつ排出するストッカと
を備えることを特徴とするカード販売装置。
【請求項２】
前記印刷装置及び前記ストッカの何れがカードの排出元となるかは、ゲームの進行状況、結果、及びプレイヤの選択の少なくともいずれかに応じて切り替えられることを特徴とする請求項１に記載のカード販売装置。
【請求項３】
前記印刷装置及びストッカは、併設して設けられていることを特徴とする請求項１または２に記載のカード販売装置。
【請求項４】
前記印刷装置及びストッカを収納する収納部をさらに備え、
前記印刷装置及びストッカは、前記収納部の奥側に収納された第１の位置と、前記収納部の手前側に引き出された第２の位置との間でスライド可能に構成されたことを特徴とする請求項１乃至３のいずれか１項に記載のカード販売装置。
【請求項５】
前記印刷装置及びストッカは、前記収納部内で設置台上に設置され、
前記設置台は、前記印刷装置及びストッカを前記第１の位置と第２の位置との間でスライド可能に構成されたことを特徴とする請求項４に記載のカード販売装置。
【請求項６】
前記ストッカは、前記設置台上での占有面積がプリンタより小さいことを特徴とする請求項５に記載のカード販売装置。
【手続補正２】
【補正対象書類名】明細書
【補正対象項目名】０００６
【補正方法】変更
【補正の内容】
【０００６】
上記課題を解決する本発明は、カードを排出するカード販売装置であって、
プレイヤからの操作入力を受け付ける操作受付部と、
前記操作入力に従ってゲーム機能を実行する処理部と、
前記ゲーム機能の実行結果に応じた情報を印刷しカードとして排出する印刷装置と、
印刷済みのカードを積層状態で収容し１枚ずつ排出するストッカと
を備えることを特徴とする。
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
１又は複数のプロセッサにゲームプログラムを実行させることにより、マニュアルモード又はオートモードのいずれかにおいて複数のプレイヤユニットと複数のノンプレイヤユニットとの対戦を実行するゲームを提供するゲームシステムであって、
前記ゲームプログラムは、
クライアント端末に備えられたタッチスクリーンに制御用オブジェクトを表示させる表示モジュールと、
前記マニュアルモードにおいて前記制御用オブジェクトに対して第１の操作がなされた場合に、前記ゲームを前記マニュアルモードから前記オートモードへ移行させ、一方、前記オートモードにおいて前記制御用オブジェクトに対して第２の操作がなされた場合に、前記ゲームを前記オートモードから前記マニュアルモードへ移行させるモード移行モジュールと、
前記複数のプレイヤユニットと前記複数のノンプレイヤユニットとの対戦場面を示す対戦場面情報をプレイヤに提示する提示モジュールと、
を備え、
前記提示モジュールは、前記マニュアルモードにおいては、前記制御用オブジェクトに対して第３の操作がなされた場合に前記対戦場面情報を提示し、一方、前記オートモードにおいては、前記制御用オブジェクトへの操作とは無関係に前記対戦場面情報を提示するように構成されることを特徴とするゲームシステム。
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
クレードルに着脱可能な携帯型電子機器であって、
前記クレードルに設けられた端子に接続される接続部と、
前記クレードルの端子に前記接続部が接続された後に当該接続が解除されたか否かを判定する接続判定手段と、
前記接続判定手段により前記接続が解除されたと判定された場合に、前記携帯型電子機器を起動させる制御手段と、を備えることを特徴とする携帯型電子機器。
【請求項２】
請求項１に記載の携帯型電子機器において、
当該携帯型電子機器を初期起動させる初期起動手段を備え、
前記制御手段は、前記接続判定手段により前記接続が解除されたと判定された場合に、前記初期起動手段により前記携帯型電子機器を初期起動させることを特徴とする携帯型電子機器。
【請求項３】
請求項１または請求項２に記載の携帯型電子機器において、
充電可能な電池を備え、
前記接続部は、前記クレードルから供給される電力を取得する充電用接続部を備え、
前記接続判定手段は、前記充電用接続部に加わる電圧または電流を検出して前記クレードルの端子に対する前記接続が解除されたか否かを判定することを特徴とする携帯型電子機器。
【請求項４】
請求項１または請求項２に記載の携帯型電子機器において、
前記接続部は、前記クレードルを介して、当該クレードルに接続される他の電子機器と情報を交換する情報交換用接続部を備え、
前記接続判定手段は、前記情報交換用接続部を介した情報交換の結果を検出して前記クレードルの端子に対する前記接続が解除されたか否かを判定することを特徴とする携帯型電子機器。
【請求項５】
請求項１から請求項４のいずれか一項に記載の携帯型電子機器において、
表示部と、
複数の発光素子と、
被験者の脈拍数を取得する脈拍取得手段と、
前記脈拍数が、予め区分された複数の脈拍ゾーンのいずれのゾーンに属するのかを判定する脈拍ゾーン判定手段と、
前記脈拍ゾーン判定手段の判定結果に基づいて、前記複数の発光素子の点灯状態を制御することで、前記脈拍数が属する脈拍ゾーンを報知する報知制御手段と、を備えることを特徴とする携帯型電子機器。
【請求項６】
請求項５に記載の携帯型電子機器において、
前記被験者の運動量を評価する運動評価量を計測する運動評価量計測手段と、
予め設定された運動目標値に対する前記運動評価量の達成度を評価する達成度評価手段と、を備え、
前記報知制御手段は、前記脈拍ゾーンを報知しているときに、前記被験者による報知を指示する操作がなされたときに、前記達成度評価手段により評価された前記達成度を前記複数の発光素子の点灯状態を制御することで報知することを特徴とする携帯型電子機器。
【請求項７】
請求項５または請求項６に記載の携帯型電子機器において、
充電可能な電池を備え、
前記接続部は、前記クレードルから供給される電力を取得する充電用接続部を備え、
前記報知制御手段は、前記充電用接続部を介して前記クレードルから供給される電力が前記電池に供給されている場合に、前記複数の発光素子の少なくとも１つを点灯状態に制御することを特徴とする携帯型電子機器。
【請求項８】
請求項５から請求項７のいずれか一項に記載の携帯型電子機器において、
充電可能な電池と、
前記電池の蓄電量が所定の蓄電量を下回ったか否かを判定する蓄電量判定手段と、を備え、
前記報知制御手段は、前記蓄電量判定手段により前記電池の蓄電量が前記所定の蓄電量を下回ったと判定された場合に、充電を促す情報を前記表示部に表示させることを特徴とする携帯型電子機器。
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
複数の発光素子と、
被験者の脈拍数を取得する脈拍取得手段と、
前記脈拍数が、予め区分された複数の脈拍ゾーンのいずれのゾーンに属するのかを判定する脈拍ゾーン判定手段と、
前記脈拍ゾーン判定手段の判定結果に基づいて、前記複数の発光素子の点灯状態を制御することで、前記脈拍数が属する脈拍ゾーンを報知する報知制御手段と、を備えることを特徴とする生体情報処理装置。
【請求項２】
請求項１に記載の生体情報処理装置において、
前記複数の発光素子によって報知される情報とは異なる情報を表示する表示部を有することを特徴とする生体情報処理装置。
【請求項３】
請求項１または請求項２に記載の生体情報処理装置において、
前記複数の発光素子は、複数の第１発光素子と、第２発光素子と、を備え、
前記脈拍数が前記脈拍ゾーンのいずれかに属していると前記脈拍ゾーン判定手段が判定した場合、前記報知制御手段は、前記複数の第１発光素子の点灯状態を制御し、
前記脈拍数が前記脈拍ゾーンの上限値を超えていると前記脈拍ゾーン判定手段が判定した場合、前記報知制御手段は、少なくとも前記第２発光素子の点灯状態を制御することを特徴とする生体情報処理装置。
【請求項４】
請求項３に記載の生体情報処理装置において、
前記複数の第１発光素子と前記第２発光素子とは、発光色が異なることを特徴とする生体情報処理装置。
【請求項５】
請求項３または請求項４に記載の生体情報処理装置において、
前記報知制御手段は、前記複数の第１発光素子を点滅させるときの点灯間隔および消灯間隔の少なくとも一方が、前記第２発光素子とは異なるように制御することを特徴とする生体情報処理装置。
【請求項６】
請求項３から請求項５のいずれか一項に記載の生体情報処理装置において、
前記複数の第１発光素子の数は、前記脈拍ゾーンの区分数に対応し、
前記報知制御手段は、前記複数の第１発光素子のうち、前記脈拍数の属する前記脈拍ゾーンに対応して予め定められた数の第１発光素子の点灯状態を制御することを特徴とする生体情報処理装置。
【請求項７】
請求項３から請求項６のいずれか一項に記載の生体情報処理装置において、
前記複数の第１発光素子および前記第２発光素子は一方向に直列に配置され、前記第２発光素子は前記直列の端に配置され、
前記脈拍ゾーンは、ｎを２以上の整数とした場合に、第１ゾーンから第ｎゾーンまで脈拍数が順次高くなるように設定され、
前記報知制御手段は、ｍを２以上、ｎ以下の整数とした場合に、
前記脈拍数が第１ゾーンに属すると判定された場合は、前記複数の第１発光素子において前記第２発光素子から最も遠い位置に配置された第１発光素子を点灯状態に制御し、
前記脈拍数が第ｍゾーンに属すると判定された場合は、前記複数の第１発光素子において前記第２発光素子から最も遠い位置に配置された第１発光素子から順にｍ個の第１発光素子を点灯状態に制御することを特徴とする生体情報処理装置。
【請求項８】
請求項３から請求項７のいずれか一項に記載の生体情報処理装置において、
前記報知制御手段は、
前記脈拍数が前記脈拍ゾーンの下限値以上の場合は、点灯状態にすべき前記複数の第１発光素子および前記第２発光素子を第１の間隔で点滅状態に制御し、
前記脈拍数が前記脈拍ゾーンの下限値未満の場合は、前記複数の第１発光素子のいずれかを前記第１の間隔より長い第２の間隔で点滅状態に制御することを特徴とする生体情報処理装置。
【請求項９】
請求項１から請求項８のいずれか一項に記載の生体情報処理装置において、
前記報知制御手段は、前記脈拍取得手段により前記脈拍数が取得できない場合は、前記複数の発光素子の全てを非点灯状態に制御することを特徴とする生体情報処理装置。
【請求項１０】
請求項１から請求項９のいずれか一項に記載の生体情報処理装置において、
報知を指示する操作がなされたか否かを判定する操作判定手段を備え、
前記報知制御手段は、前記操作判定手段により前記報知を指示する操作がなされたと判定された場合は、前記脈拍数の属する脈拍ゾーンを報知することを特徴とする生体情報処理装置。
【請求項１１】
請求項１０に記載の生体情報処理装置において、
前記報知制御手段は、前記脈拍ゾーン判定手段により前記脈拍数が前記脈拍ゾーンの上限値を超えていると判定された場合は、前記脈拍数が前記脈拍ゾーンの上限値を超えていることを報知することを特徴とする生体情報処理装置。
【請求項１２】
請求項１０または請求項１１に記載の生体情報処理装置において、
前記脈拍数が、前記脈拍ゾーンの下限値を下回っている状態が所定時間継続したか否かを判定する所定時間判定手段を備え、
前記報知制御手段は、前記所定時間判定手段により前記脈拍数が前記脈拍ゾーンの下限値を下回っている状態が所定時間以上継続したと判定された場合に、前記脈拍数が前記脈拍ゾーンの下限値を下回っていることを報知することを特徴とする生体情報処理装置。
【請求項１３】
請求項１から請求項１２のいずれか一項に記載の生体情報処理装置において、
前記被験者の運動量を評価する運動評価量を計測する運動評価量計測手段と、
予め設定された運動目標値に対する前記運動評価量の達成度を評価する達成度評価手段と、を備え、
前記報知制御手段は、前記脈拍ゾーンを報知しているときに前記報知を指示する操作がなされたときに、前記達成度評価手段により評価された前記達成度を前記複数の発光素子の点灯状態を制御することで報知することを特徴とする生体情報処理装置。
【請求項１４】
複数の発光素子と、
被験者の運動量を評価する運動評価量を計測する運動評価量計測手段と、
予め設定された運動目標値に対する前記運動評価量の達成度を評価する達成度評価手段と、
前記達成度評価手段により評価された前記達成度を前記複数の発光素子の点灯状態を制御することで報知する報知制御手段と、を備えることを特徴とする生体情報処理装置。